(57)【要約】【課題】  電子レンジで過剰加熱させ、内袋が破裂して外袋内に液状の保温剤が飛び出しても、その保温剤を外袋内にとどめ膨張ガスだけを外袋の外へうまく放出させ安全性を高め、また電子レンジ加熱で保温剤,内袋が熱くなっても外袋表面はさほど熱くならないようにして取り扱いを良くした保温袋体を提供する。【解決手段】  水１１を含有する液状の保温剤１２と、該保温剤１を密封収納する内袋２と、前記保温剤１が密封収納された該内袋２に被せこれを収納する外袋３と、を具備する保温袋体であって、前記外袋３が多孔質性シート状体で形成されてなる。【選択図】  図１
2005342280.tif 000002
【特許請求の範囲】
【請求項１】
水を含有する液状の保温剤と、該保温剤を密封収納する内袋と、前記保温剤が密封収納された該内袋に被せこれを収納する外袋と、を具備する保温袋体であって、前記外袋が多孔質性シート状体で形成されてなることを特徴とする保温袋体。
【請求項２】
前記外袋の多孔質性シート状体が不織布である請求項１記載の保温袋体。
【請求項３】
前記不織布にエンボス加工が施されてなる請求項２記載の保温袋体。
【請求項４】
前記保温剤が水に食品添加物用増粘剤を添加してなるものである請求項２又は３に記載の保温袋体。
【発明の詳細な説明】
【技術分野】
【０００１】
本発明は主に電子レンジ等で温めて使用される保温袋体に関する。
【背景技術】
【０００２】
水にポリビニルアルコール(通称、ポバール)等が加えられたゾル状又はゲル状の液状にした保温剤を内袋に入れ密封封入した後、さらにこれを保護用外袋に入れて封止した保温袋体の製品がある。この保温袋体は電子レンジで２〜３分ほど温めることによって、湯たんぽ代わりや腰痛、肩こり、筋肉疲労の解消など等に用いることができ、従来型の湯たんぽに比べ手軽さが受け、利用価値が高まっている。
しかし、電子レンジに入れて温める際、オート加熱やおまかせ加熱に設定すると過剰加熱になり、内容物たる液状の保温剤が膨張して内袋が破裂し、保護用外袋があってもこれを破って電子レンジ内に飛び散り汚してしまう問題があった。説明書きに標準加熱時間が明記されているが、説明書きを読まずにオート加熱にして内袋のみならず飛び散り防止の外袋をも破って内容物たる保温剤をまき散らしてしまう消費者による事故例があとをたたなかった。
そこで、製品の使用説明書で注意喚起を促すだけでなく、マニュアルに従わないオート加熱等の過剰加熱した場合であっても対策を講じた発明技術が提案されるようになった(例えば特許文献１参照。)。
【０００３】
【特許文献１】特開２００２−１１３０３２公報
【発明の開示】
【発明が解決しようとする課題】
【０００４】
特許文献１は表シートと裏シートの４辺の縁部は互いに接着されてシール部が形成され、このシール部によって製袋された外袋の内部に、蓄熱物質(保温剤)を密封した内袋が封入される保温具(保温袋体）になっている。そして、外袋の左右両縁に外袋の内部と外部とを連通する細長の通気部用非接着部を設け、電子レンジで過剰加熱させて内袋が破裂し蓄熱物質が飛散した場合でも通気部を介して膨張ガスのみを排出させ、内部に熱いゲル状蓄熱物質を保持できるようにしている。
【０００５】
しかしながら、外袋外周縁の局在化させた位置に細長の非接着部を設けただけであって、それでは電子レンジで急膨張し放出される膨張ガスを通気部から外へ逃すことは難しかった。通気部孔が小さすぎると、膨張ガスの噴出力で外袋を膨らませ外袋が割れて切れてしまう不具合が生じた。一方、非接着部の通気部孔を大きくすると、今度は非接着部を通じて蓄熱物質が外袋の外に出てしまう問題があった。通気部の大きさの最適範囲は狭く微妙であった。通気部の大きさが最適範囲内にあっても、外袋を周回する接着部の極く一部分の局在化させた所に通気部を設けるだけなので、ここに集中的に膨張ガスを集め、膨張ガスを内袋破裂時の瞬時に狭い通気部を通って放出させねばならず、時に熱いゲル状の蓄熱物質を同伴させて飛び出し周囲を汚してしまう場合があった。
【０００６】
電子レンジでオート加熱して内袋が破裂した場合の他の対策防止品として、外袋の四隅に小孔を設けたものも登場しているが、これも外袋の四隅の局在化させた位置に小さな孔を設けただけであって不十分であった。電子レンジで急膨張して内袋を破って外袋内にいっときに放出される膨張ガスが、粘性のある蓄熱物質内をくぐり抜けて四隅に偏在する小さな孔に到達し、さらに小孔を通り抜け系外へ出るのは難しかった。電子レンジで内袋が破裂して一度に噴出する膨張ガス,蓄熱物質をその小孔に集中させ、そのうちの膨張ガスだけが選別されて小孔を通り抜けるのは至難であった。時に圧が高まって外袋に亀裂が走り外袋も破り裂くことがあった。
【０００７】
また、電子レンジで内袋,外袋が破裂しなくても、温められた保温剤が熱伝導で外袋を熱くさせて、手で持ったときにやけどするおそれがあった。特許文献１は外袋の上縁に位置するシール部を幅広にして把持部を形成し、電子レンジからここを持って取り出せるようにしている。しかし、消費者は把持部を持たずに取り出す場合があり、熱くなりすぎた外袋を触ってやけど等をするおそれは依然残されていた。さらにその温まった保温袋体を使用に供すべくカバー等にくるむ場合にも、把持部しか触ってはならないことから不便であった。
【０００８】
本発明は上記問題点を解決するもので、電子レンジで過剰加熱させ、内袋が破裂して外袋内に液状の保温剤が飛び出しても、その保温剤を外袋内にとどめ膨張ガスだけを外袋の外へうまく放出させ安全性を高め、また電子レンジ加熱で保温剤,内袋が熱くなっても外袋表面はさほど熱くならないようにして取り扱いを良くした保温袋体を提供することを目的とする。
【課題を解決するための手段】
【０００９】
上記目的を達成すべく、請求項１に記載の発明の要旨は、水を含有する液状の保温剤と、該保温剤を密封収納する内袋と、前記保温剤が密封収納された該内袋に被せこれを収納する外袋と、を具備する保温袋体であって、前記外袋が多孔質性シート状体で形成されてなることを特徴とする保温袋体にある。
請求項２の発明たる保温袋体は、請求項１で、外袋の多孔質性シート状体が不織布であることを特徴とする。
請求項３の発明たる保温袋体は、請求項２で、不織布にエンボス加工が施されてなることを特徴とする。
請求項４の発明たる保温袋体は、請求項２又は３で、保温剤が水に食品添加物用増粘剤を添加してなるものであることを特徴とする。
【００１０】
(作用)
請求項１の発明のごとく、保温剤と内袋と外袋を具備する保温袋体であって、外袋が多孔質性シート状体で形成されると、電子レンジ使用等による内袋破裂時に多孔質性シート状体の無数の孔から瞬時に膨張ガスが抜け出せるので、瞬時の破裂にも対応できる。内袋破裂時に多孔質の孔の大きさを小さくして保温剤を外袋内にとどめるようにすれば、保温剤の飛び散りを防止できる。
請求項２の発明のごとく、外袋の多孔質性シート状体が不織布であると、仕様の選択幅が広く、多孔質の孔を小さくして内袋破裂時に膨張ガスを逃がす一方で、保温剤を外袋内にとどめることが簡単にできる。また不織布が外袋に用いられると、不織布がつくる無数の隙間に空気が停滞しており、この空気は電子レンジの加熱で保温剤,内袋が熱くなっても断熱層を形成し、手で触っても熱くならない。
請求項３の発明のごとく、外袋の不織布にエンボス加工が施されると、エンボス加工の凹凸部分の凸部にだけ触るので、シートのように手の当たる面全体に触るのに比べて触れる面積が小さくなり、一層熱さを感じなくなる。しかも、エンボス加工の凹凸部分に空気溜まりがよりできやすくなるので、電子レンジの加熱で保温剤,内袋が熱くなっても保温袋体の外袋表面はエンボス加工がない場合に比べ熱く感じなくなり手で扱い易くなる。またエンボス加工の凹凸部分に断熱性に富む空気溜まりができることによって、保温袋体の保温機能がより長く持続するようになる。
請求項３の発明のごとく、保温剤が水に食品添加物用増粘剤を添加してなるものだと、食品添加物として安全性が確認されているため、保温袋体を踏み潰したり幼児等が万一食べたりした場合でも、あわてずに済む。
【発明を実施するための最良の形態】
【００１１】
以下、本発明に係る保温袋体について詳述する。図１〜図４は本発明の保温袋体の一形態で、図１はその一部破断斜視図、図２は図１の破断部分で内袋の上シートをなしの状態にして描いた部分拡大図、図３は図１の保温袋体の縦断面説明図、図４は内袋,外袋の上シートをなしの状態にして描いた保温袋の平面図である。
保温袋体は水１１を含有する液状の保温剤１と、この保温剤１を密封収納する内袋２と、保温剤１が密封収納された内袋２に被せこれを収納する外袋３と、を備える。
【００１２】
保温剤１は水１１にポリビニルアルコール等の増粘剤１２を加えてゾル状又はゲル状の液状にしたものである。本実施形態は増粘剤１２に食品添加物たるＣＭＣ(カルボキシメチルセルロース）を使用する。水１１にＣＭＣが添加されて冷水,温湯のいずれにも容易に溶け、ゼリー状のゲル状態の保温剤１ができる。ＣＭＣは食品添加物にも使われていてその安全性は証明されており、無味,無臭で生理的に無害である。誤って万一食べるようなことがあっても心配ない。ＣＭＣは温度による糊液の粘度変化が少なく、粘度の経時変化が少ない利点も兼ね備える。
【００１３】
内袋２は平面状のプラスチックフィルム或いはプラスチックシートで袋状にし、この中に保温剤１を密封収納し得る袋状体とする。例えばプラスチックフィルムで収納本体２１を確保する四角形で所定大きさにした一対の上下フィルム２ａ,２ｂを重ね合わせ、四辺外周縁の糊代部２２のうち三辺をまずシールして上部開口の袋状にし、次いで上部開口から前記保温剤１を袋内Ｏに注入し、その後、上部開口を形成していた外周糊代部２２をシールして内袋２に保温剤１が密封収納される。糊代部２２の封止(シール)には接着剤２３やヒートシール等が用いられる。
【００１４】
本実施形態は内袋２に耐ピンホール性,強靱性,高衝撃強さ,高破裂強さに優れるナイロンフィルムを使用する。一方で、電子レンジで過剰加熱した際、高破裂に耐えて内圧が高まり、最後に耐えきれずに破裂するケースも考えて、図２,図４のごとく糊代部２２の所定領域だけ未接着ゾーン２２１を設けその糊代幅を狭めている。内袋２は既述のごとく２枚の樹脂製シート２ａ,２ｂの外周縁をシールして保温剤１を密封収納する袋状体であるが、その外周部にシール幅を狭くする領域を形成する。電子レンジによる過加熱で保温剤１が急膨張する際に、いち早くシール幅を狭くした領域で破って膨張圧を抜き去り安全対策を万全にする。
【００１５】
外袋３は多孔質性シート状体３ａ,３ｂで袋状に形成したもので、保温剤１が密封収納された内袋２に被せこれを収納する。本発明でいう「多孔質性シート状体」のシートにはシートのみならず厚みが０.２mm以下のフィルムも含まれるものとする。シートは一般に０.２mm以上の厚みのものとされるが、ここではそれ未満の厚みのフィルムも含む概念で用いる。
内袋２を保護用外袋３が覆って二重袋になる。保温剤１を密封した内袋２を外袋内Ｓに入れ、外周部に封がなされる。保温剤１入り内袋２が外袋３内に収まった状態下、余剰スペースＳ１が存在する(図１)。加温,過加熱で保温剤１,内袋２が膨れ上がったときにゆとりをもって対応できるようにするためである。多孔質性シート状体は極く小さな孔がシート面に多数開いたシート状のもので、多孔性シート状体としては例えば編物,織物,不織布等がある。外袋３の形成材料としては不織布がより好ましい。
【００１６】
不織布は『天然または合成繊維を粘着剤,加熱加圧,製縫によって不規則に配列させたりもつれたりしてつくった生地(マグローヒル「化学技術用語大辞典第３版」,日刊工業新聞社  1996)』をいう。
シート状体に仕上がった不織布には多孔質性の隙間を自由に小さく設定でき、汗や水蒸気を通過させて水を通さないものが存在する。例えば『超極細繊維でできた不織布は繊維の隙間(空間)が小さく、水の分子の大きさの方が隙間より大きくて抜けない。一方、汗や水蒸気は水分子より小さいので数ミクロン以下の隙間でも抜け出せる(http//asakura-inc.jp/mizuotoosu.htm)』という。
保温袋体が過加熱で内袋２が破裂しても、不織布で外袋３を形成すればその布面に無数の隙間εが存在するので膨張ガスはどこからでも抜け出ることができる。不織布にある無数の隙間εからガスが抜け出るので保温袋体の内袋２が破裂しても外袋３での圧抜きが円滑に進む。その一方で、外袋３に不織布を用いているので、内袋２が破裂した際、前述のごとく液状の保温剤１を不織布内にとどめることができる。しかも保温剤１が増粘剤１２を添加しゼリー状のゲル状態になっているので、不織布からなる外袋３内にとどめることは前記超極細繊維でできた不織布を用いずとも容易になっている。
【００１７】
本実施形態は外袋３にユニチカ社製スパンボンド「エルベスＴ０５０３ ダブルＤＯ」の不織布を使用した。当該不織布で外袋３を造った保温袋体を電子レンジで過加熱し、幾度となく内袋２を破裂させた試験でも、膨張ガスがスムーズに外袋３を抜け且つ外袋３内に熱くなった保温剤１を保持できることを確認した。この不織布はオレフィン系スパンボンド不織布(PE-PET芯鞘構造)でヒートシールも容易であることも判った。外袋３は既述のごとく多孔質性シート状体３ａ,３ｂで袋状にし、この袋内に保温剤１が充填,密封された内袋２を入れて封をし、収納する袋状体である。ここでは、上記スパンボンド不織布を用い四角形で所定大きさにした一対の不織布を重ね合わせ、四辺外周縁の糊代部３２のうち三辺をまずシールして上部開口の袋状にし、次いで上部開口から前記保温剤１を密封した内袋２を袋内に入れ、その後、開口を形成していた外周糊代部３２をシールして保温剤１密封済み内袋２を外袋３内に収納する。
【００１８】
不織布は無数の隙間εを空気が埋めているため、その空気が断熱層の役割を果たす。外袋３に不織布を用いると、電子レンジの加熱で保温剤１,内袋２が熱くなっても不織布の無数の隙間εにある空気断熱層によって緩和され、手に持ってもさほど熱くない。さらに本実施形態はエンボス加工が施された不織布を用いており、手で触れる接触面が減り、より一層取り扱い易くなっている。ここでいうエンボス加工とは不織布に図３のごとく凹凸模様をつける加工法をいい、凹凸模様は梨地,皮しぼ、その他の浅い浮出しやくぼみ模様等も含まれる。エンボス加工が施された不織布で袋状に形成された外袋３は、不織布周りに停滞する断熱空気層を抱えることとなり、保温剤１,内袋２が電子レンジの加熱で熱くなっても、これを包む外袋３はさほど熱くならない。一方で、断熱性のある空気層が外袋３の不織布に係る隙間εやエンボス加工の凹凸部分に停滞するので、一旦温まった保温剤１の熱は徐々に放出されることとなり保温袋体の温める機能が持続し好都合になっている。
【００１９】
そして、外袋３に不織布を用いた場合は肌触りが良く、足元にいれてもやすらぎを与える。さらに従来の保温袋体は内袋２,外袋３が共にナイロン等の樹脂製シートで造られていたため、足元に入れて触れたりするとに樹脂製シートの擦り合うガサガサ音が耳ざわりになったが、外袋３が不織布で形成されるため、足が当たったりしてもガサガサ音が出なくなっている。
【００２０】
このように構成した保温袋体は、電子レンジなどによる加熱のしすぎで液状保温剤１を収納する内袋２が破れ、外袋３内に液状の保温剤１が飛び出しても、保温剤１を外袋３内にとどめ、膨張ガスだけを外袋３の外へ放出させることができる。外袋３が不織布(多孔質性シート状体)で形成されているので、不織布全面で無数に広がる多孔質性隙間εから膨張ガスは瞬時且つスムーズに抜け出す一方、その隙間εを通過できない保温剤１は外袋３の中にとどまり、保温剤１が肌にかかってやけどをしないようになる。電子レンジ内で保温剤１の飛び散りを抑えることもできる。局在化する一部の場所から膨張ガスを抜く従来品と違って、外袋３を形成する不織布全面に隙間εが存在するので、内袋２がどの部分で破裂しようと膨張ガスのガス抜きは円滑に進む。圧抜き不完全で外袋３が破れることはなく、安全性を一段と高めた保温袋体になっている。
【００２１】
また、電子レンジで温めて保温剤１の温度が高くなった場合でも、外袋３を形成する不織布が空気層を抱かえているため、その断熱作用で保温袋体すなわち外袋３を手に持っても熱くならない。外袋表面がそれほど熱くないので、カバー(図示せず)装着時や使用時の取り扱いが安全になる。
【００２２】
さらに外袋３に不織布を使用していることから、ナイロン製シートで造られていた従来品と違い、ゴワゴワ、ガサゴソした音も無く、肌触りも優しくなっている。また、保温剤に加える増粘剤に食品添加物(本実施形態は、ＣＭＣ)を用いていることから、幼児等が万一食べても心配ない。
【００２３】
尚、本発明においては、前記実施形態に示すものに限られず、目的，用途に応じて本発明の範囲で種々変更できる。保温剤１,内袋２,外袋３等の形状，大きさ，それらの材質等は用途に合わせて適宜選択できる。実施形態では不織布として紡糸直結で主に自己接着で結合するスパンボンド不織布を用いたが、これに限られることなく様々な仕様の不織布の中から用途に合わせて選択できる。食品添加物用増粘剤には実施形態で用いたＣＭＣの他、澱粉やペクチンなどの増粘多糖類等を用いてもよい。また実施形態は温めるケースで説明したが、本保温袋体は冷蔵庫等で冷やして冷枕等にも使用できるものである。
【図面の簡単な説明】
【００２４】
【図１】本発明の保温袋体の一形態で、その一部破断斜視図である。
【図２】図１の破断部分で内袋の上シートをなしの状態にして描いた部分拡大図である。
【図３】図１の保温袋体の縦断面説明図である。
【図４】内袋,外袋の上シートをなしの状態にして描いた保温袋の平面図である。
【符号の説明】
【００２５】
１          保温剤
１１        水
１２        増粘剤
２          内袋
３          外袋
３１１      凹凸部分
【図１】
2005342280.tif 000003
【図２】
2005342280.tif 000004
【図３】
2005342280.tif 000005
【図４】
2005342280.tif 000006